(57)【特許請求の範囲】
【請求項１】
被施術者と該被施術者を押圧する施術者とが離反方向へ相対移動するのを阻止するように前記施術者と前記被施術者とを連結する押圧マッサージ補助具であって、
施術者の上体部に背側から掛けられる施術者支持部としての第１支持ベルトと、被施術者に対して前方側から掛けられる被施術者支持部としての第２支持ベルトと、前記第１支持ベルトの両端と前記第２支持ベルトの両端を各別に連結する連結部材とを具備し、
前記連結部材は、前記第１支持ベルトの両端に各別に連設された一対の単位連結部材と、該各単位連結部材の先端に配設され且つ前記第２支持ベルトの両端に設けた一対の被係合金具に対して取り外し可能な状態で各別に係合される一対の係合金具とを備えている、押圧マッサージ補助具。
【請求項２】
被施術者と該被施術者を押圧する施術者とが離反方向へ相対移動するのを阻止するように前記施術者と前記被施術者とを連結する押圧マッサージ補助具において、前記被施術者を支持する被施術者支持部と、前記施術者を支持する施術者支持部と、前記施術者支持部と前記被施術者支持部とを連結する連結部材とを具備し、
前記施術者支持部は、前記施術者の左右の上腕部に各別に捲着される一対の上腕支持ベルトであり、
前記被施術者支持部は、前記被施術者が着座するマッサージ台であり、
前記連結部材は、前記一対の上腕支持ベルトに各別に連設された一対の単位連結部材と、該各単位連結部材の先端に配設され且つ前記マッサージ台に設けた一対の被係合金具に対して取外し可能に係合させる係合金具とを備えている、押圧マッサージ補助具。
【請求項３】
被施術者と該被施術者を押圧する施術者とが離反方向へ相対移動するのを阻止するように前記施術者と前記被施術者とを連結する押圧マッサージ補助具において、前記被施術者を支持する被施術者支持部と、前記施術者を支持する施術者支持部と、前記施術者支持部と前記被施術者支持部とを連結する連結部材とを具備し、
前記施術者支持部は、前記施術者の左右の上腕部に各別に捲着される一対の上腕支持ベルトであり、
前記被施術者支持部は、前記被施術者に対して前方側から掛けられる第２支持ベルトであり、
前記連結部材は、前記一対の上腕支持ベルトと前記第２支持ベルトの両端を各別に連結する、押圧マッサージ補助具。
【請求項４】
請求項１に記載の押圧マッサージ補助具において、前記第１支持ベルトは、施術者の身体に巻き付けるための第１捲着ベルトを具備する、押圧マッサージ補助具。
【請求項５】
請求項１、３又は４のいずれかに記載の押圧マッサージ補助具において、前記第２支持ベルトは、被施術者の身体又は被施術者が着座するマッサージ台に巻き付けるための第２捲着ベルトを具備する、押圧マッサージ補助具。
【請求項６】
請求項１から５のいずれかに記載の押圧マッサージ補助具において、前記連結部材は、該連結部材の長さを調節するための長さ調節具を具備する、押圧マッサージ補助具。
【発明の詳細な説明】
【０００１】
【発明の属する技術分野】
本発明は、指圧等の押圧マッサージを施す際に、施術者の押圧力の損失を防止して効果的にマッサージを施すために使用する押圧マッサージ補助具に関するものである。
【０００２】
【従来の技術】
指圧や手根押圧によるマッサージとしては、被施術者が床やベッドにうつ伏せになった状態で、施術者が該被施術者の上方より患部を押圧する方法が古来より知られている。また、近年においては、仕事や買物の合間に簡易的にマッサージを施す方法として、椅子型のマッサージ台を利用して被施術者の背中を押圧する方法も実施されている。
このとき施術者は、被施術者の体格や患部の状態にあわせてマッサージを施すために、体重或いは身体の全体を利用して患部に押圧力を加える。
【０００３】
【発明が解決しようとする課題】
しかしながら、上記の押圧マッサージ方法では、マッサージを施す際に施術者の上体部が押圧方向と反対方向へ動き易いために押圧力の損失が大きく、患部に効果的な押圧力を加えることができなかった。また、施術者はその押圧力の損失を填補するために全身に過大な力を必要とし、体力的負担が大きいという問題があった。
【０００４】
本発明は、かかる点に鑑みてなされたもので、施術者の押圧力の損失を防止して患部に効果的な押圧力を加えるとともに、施術者の体力的負担を軽減させることを課題とする。
【０００５】
【課題を解決するための手段】
［１項］
上記課題を解決するための本発明の技術的手段は、
『被施術者と該被施術者を押圧する施術者とが離反方向へ相対移動するのを阻止するように前記施術者と前記被施術者とを連結する押圧マッサージ補助具であって、
施術者の上体部に背側から掛けられる施術者支持部としての第１支持ベルトと、被施術者に対して前方側から掛けられる被施術者支持部としての第２支持ベルトと、前記第１支持ベルトの両端と前記第２支持ベルトの両端を各別に連結する連結部材とを具備し、
前記連結部材は、前記第１支持ベルトの両端に各別に連設された一対の単位連結部材と、該各単位連結部材の先端に配設され且つ前記第２支持ベルトの両端に設けた一対の被係合金具に対して取り外し可能な状態で各別に係合される一対の係合金具とを備えている』ことである。
上記技術的手段によれば、施術者と被施術者が離反方向へ移動するのを阻止する状態に連結されているから、押圧時に施術者の上体部が押圧方向と反対方向へ動くのを阻止することができる。
【０００６】
また、このものでは、連結部材の係合金具を第２支持ベルトの被係合金具から取り外し、被施術者が着座するマッサージ台の被係合金具へ連結すれば、施術者の上体部に背側から掛けられる第１支持ベルトとマッサージ台とが一対の単位連結部材によって連結されるから、施術者と被施術者との間隔が一定距離に保持され、押圧時に施術者の上体部が押圧方向と反対方向へ動くのを阻止することができる。
ここで「着座」とは、身体をマッサージ台に支持させることを意味し、起座した状態や伏臥した状態等を含む概念である。
一方、マッサージ台に被係合金具が設けられていない場合は、マッサージ台に着座した被施術者の上体部またはマッサージ台の背面側に第２支持ベルトを掛けた状態で、その第２支持ベルトの被係合金具へ連結部材の係合金具を連結すれば、連結部材の係合金具をマッサージ台の被係合金具へ連結した場合と同様、施術者と被施術者との間隔が一定距離に保持される。これにより、押圧時に施術者の上体部が押圧方向と反対方向へ動くのを阻止することができる。
【０００７】
［２項］
『被施術者と該被施術者を押圧する施術者とが離反方向へ相対移動するのを阻止するように前記施術者と前記被施術者とを連結する押圧マッサージ補助具において、前記被施術者を支持する被施術者支持部と、前記施術者を支持する施術者支持部と、前記施術者支持部と前記被施術者支持部とを連結する連結部材とを具備し、
前記施術者支持部は、前記施術者の左右の上腕部に各別に捲着される一対の上腕支持ベルトであり、
前記被施術者支持部は、前記被施術者が着座するマッサージ台であり、
前記連結部材は、前記一対の上腕支持ベルトに各別に連設された一対の単位連結部材と、該各単位連結部材の先端に配設され且つ前記マッサージ台に設けた一対の被係合金具に対して取外し可能に係合させる係合金具とを備えている』ものでは、施術者の左右の上腕部に各別に捲着される上腕支持ベルトと、被施術者が着座するマッサージ台とが一対の単位連結部材によって連結されているから、施術者の肩部と被施術者との間隔が一定距離に保持され、押圧時に施術者の上体部が押圧方向と反対方向へ動くのを阻止することができる。
【０００８】
［３項］
『被施術者と該被施術者を押圧する施術者とが離反方向へ相対移動するのを阻止するように前記施術者と前記被施術者とを連結する押圧マッサージ補助具において、前記被施術者を支持する被施術者支持部と、前記施術者を支持する施術者支持部と、前記施術者支持部と前記被施術者支持部とを連結する連結部材とを具備し、
前記施術者支持部は、前記施術者の左右の上腕部に各別に捲着される一対の上腕支持ベルトであり、
前記被施術者支持部は、前記被施術者に対して前方側から掛けられる第２支持ベルトであり、
前記連結部材は、前記一対の上腕支持ベルトと前記第２支持ベルトの両端を各別に連結する』ものであってもよい。
【０００９】
この場合、前記第２支持ベルトは、被施術者の身体に直接に掛けられるものであっても良いが、被施術者が着座するマッサージ台の背面側（着座側と反対側）に掛けることによって間接的に被施術者に掛けるものであっても良い。
ここで「前方側から」とは、被施術者の向きにかかわらず、被施術者に対して施術者と反対方向からのことを意味し、例えば、両者が向かい合っている場合は被施術者の背側から、両者が向かい合っていない場合は被施術者の胸側から、第２支持ベルトが掛けられていることになる。
【００１２】
［４項］
前記１項において、『前記第１支持ベルトは、施術者の身体に巻き付けるための第１捲着ベルトを具備する』ものとすれば、第１捲着ベルトを施術者の身体に捲回することによって、第１支持ベルトをその装着位置に固定することができる。
【００１４】
［５項］
前記１項、３項または４項のいずれかにおいて、『前記第２支持ベルトは、被施術者の身体又は被施術者が着座するマッサージ台に巻き付けるための第２捲着ベルトを具備する』ものとすれば、第２捲着ベルトを被施術者の身体又はマッサージ台に捲回することによって、第２支持ベルトをその装着位置に固定することができる。
【００１５】
［６項］
前記１項から５項のいずれかにおいて、『前記連結部材は、該連結部材の長さを調節するための長さ調節具を具備する』ものとすれば、施術者又は被施術者の体格、マッサージ方法によって施術者と被施術者との間隔を調節し、最適な距離を保持することができる。
【００１６】
【発明の効果】
本発明は、上記構成であるから次の特有の効果を有する。
押圧時に施術者の上体部が押圧方向と反対方向へ動きにくいから、施術者の押圧力の損失を防止して患部に効果的な押圧力を加えることができるとともに、施術者の体力的負担の軽減が図れる。
【００１７】
さらに上記の効果に加えて、１項又は２項においては、連結部材は第１支持ベルトの両端又は一対の上腕支持ベルトに連設され、且つ先端にはマッサージ台或いは第２支持ベルトに設けた一対の被係合金具に対して取外し可能に係合させる係合金具を備えているから、施術者は本発明に係る押圧マッサージ補助具の着脱が容易である。
【００１８】
１項及び３項においては、マッサージ台に被係合金具が設けられている場合は、連結部材をマッサージ台に連結して使用することができるし、マッサージ台に被係合金具が設けられていない場合は、前記第２支持ベルトを被施術者の身体に直接又はマッサージ台の背面側に掛けた状態で使用することができるから、上記効果に加えて利用場所の拡大が図れる。
【００１９】
４項においては、第１捲着ベルトを施術者の身体に捲回することによって、第１支持ベルトをその装着位置に固定することができるから、マッサージ方法や部位にあわせて背部や腰部の装着位置に固定して、効果的にマッサージを施すことができるとともに、第１支持ベルトがずれるのを防止することができる。
【００２０】
５項においては、第２捲着ベルトを被施術者の身体又はマッサージ台に捲回することによって、第２支持ベルトをその装着位置に固定することができるから、マッサージ方法や部位にあわせて胸部や腹部近傍の装着位置に固定して、一層効果的にマッサージを施すことができるとともに、第２支持ベルトがずれるのを防止することができる。
【００２１】
６項においては、施術者又は被施術者の体格、マッサージ方法によって施術者と被施術者との間隔を調節し、最適な距離を保持することができるから、一層効果的に患部に押圧力を加えることができる。
【００２２】
【発明の実施の形態】
次に、上記した本発明の実施の形態を図面に従って詳述する。
図１に示すように、本実施の形態に係る押圧マッサージ補助具は、既述した施術者支持部としての第１支持ベルト１と、既述した連結部材としての連結アーム３，３と、既述した被施術者支持部としての第２支持ベルト２から構成されており、以下、各部の詳細を説明する。
【００２３】
［第１支持ベルト１について］
第１支持ベルト１は、中央部が両端部より広幅に設定された帯状体であり、両端部には、後述する連結アーム３，３と連結するためのリング１２，１２が設けられている。該第１支持ベルト１の内面の両端近傍には、施術者の身体に巻き付けるための第１捲着ベルト１０が連設されており、該第１捲着ベルト１０の開放端部には、面ファスナ１１，１１が添着されている。
【００２４】
［連結アーム３について］
連結アーム３，３は、非伸縮性材料で形成された帯状体であり、一端が上記リング１２，１２に連設され、他端にはフック状の係合金具３０，３０が連設されている。
該連結アーム３，３の中間部には、日の字状の長さ調節具３１，３１が装着されており、該連結アーム３，３の長さを調節することができる。
【００２５】
［第２支持ベルト２について］
第２支持ベルト２は、中央部が両端部より広幅に設定された非伸縮性の帯状体であり、両端部には、係合金具３０，３０を取外し可能に係合するためのリング２２，２２が設けられている。該第２支持ベルト２の内面の両端近傍には、被施術者の身体又は後述するマッサージ台に捲回することによって、その装着位置に固定するための第２捲着ベルト２０が連設されており、該第２捲着ベルト２０の開放端部には、面ファスナ２１，２１が添着されている。
【００２６】
［使用について］
上記構成において本実施の形態に係る押圧マッサージ補助具の使用例について説明する。
まず、施術者Ａの背部に、第１支持ベルト１を掛けた状態で第１捲着ベルト１０の両端の面ファスナ１１，１１で結合する。これにより、施術者Ａの上体部に第１支持ベルト１が固定される。
【００２７】
次に、マッサージ台Ｓに係合金具３０，３０を連結することができる既述した被係合金具たる固定部位Ｓ１，Ｓ１がある場合は、図２に示すように、連結アーム３，３の端部に連設される係合金具３０，３０から第２支持ベルト２を取外し、該係合金具３０，３０を該固定部位Ｓ１，Ｓ１に連結する。
【００２８】
マッサージ台Ｓに固定部位Ｓ１，Ｓ１が無い場合は、図３及び図４に示すように、マッサージ台Ｓに着座した被施術者Ｂの上体部又はマッサージ台Ｓの背面側に、第２支持ベルト２を掛けた状態で第２捲着ベルト２０の両端の面ファスナ２１，２１で結合する。そしてこの後、該第２支持ベルト２の両端部に設けられたリング２２，２２に係合金具３０，３０を連結する。
【００２９】
これにより、施術者Ａと被施術者Ｂとの間隔が一定距離に保持され、押圧時に施術者Ａの上体部が押圧方向と反対方向へ動くのが阻止された状態、即ち、押圧力を加えたときに施術者Ａの上体部が押圧方向と反対方向へ動くことによる押圧力の損失を防止するとともに、押圧力に対する反力が患部に対して加えられる。
従って、施術者Ａが患部に対して効果的な押圧力を加えることができ、さらに施術者Ａの体力的負担も軽減される。
【００３０】
なお、上記実施の形態では、既述した施術者支持部は、施術者の上体部に背面から掛けられる第１支持ベルト１であるが、図５に示すように、施術者の左右の上腕部に各別に捲着される一対の上腕支持ベルト５，５であってもよく、上記と同様の効果が得られる。
【００３１】
［その他］
上記実施の形態では、連結アーム３，３は、非伸縮性材料で形成された帯状体であるが、非伸縮性のロープやチェーンであっても良いし、図６に示すように、非弾性材料で形成された棒状体であっても良い。このものでは、連結アーム３の中間部に屈曲自在のヒンジ部４２を設けているから、連結アーム３がマッサージを施す際の施術者の動作に対応して屈曲するので、利便性が良い。また、連結アーム３の中間部には、外筒体４３と、中軸４４と、留め具４５とで構成される長さ調節機構部４１が設けられており、留め具４５の取付位置によって、第１支持ベルト１から係合金具３０までの距離を調節することができるようになっている。
【図面の簡単な説明】
【図１】本発明の実施の形態に係る押圧マッサージ補助具を示す斜視図
【図２】本発明の実施の形態に係る押圧マッサージ補助具の使用状態を示す側面図
【図３】本発明の実施の形態に係る押圧マッサージ補助具の使用状態を示す側面図
【図４】本発明の実施の形態に係る押圧マッサージ補助具の使用状態を示す側面図
【図５】施術者支持部が上腕支持ベルト５，５である場合の押圧マッサージ補助具の使用状態を示す側面図
【図６】連結アーム３が、非弾性材料で形成された棒状体である場合を示す側面図
【符号の説明】
１・・・第１支持ベルト、２・・・第２支持ベルト、３・・・連結アーム、
５・・・上腕支持ベルト、１０・・・第１捲着ベルト、１１，２１・・・面ファスナ、
１２，２２・・・リング、２０・・・第２捲着ベルト、３０・・・係合金具、
３１・・・長さ調節具、４１・・・長さ調節機構部、４２・・・ヒンジ部、
４３・・・外筒体、４４・・・中軸、４５・・・留め具、
Ａ・・・施術者、Ｂ・・・被施術者、Ｓ・・・マッサージ台、Ｓ１・・・固定部位
【図１】
0004744041.tif 000002
【図２】
0004744041.tif 000003
【図３】
0004744041.tif 000004
【図４】
0004744041.tif 000005
【図５】
0004744041.tif 000006
【図６】
0004744041.tif 000007